【事件の表示】
　特許第３１７０５１１号「ビデオカメラ及びビデオカメラの制御方法」の請求項１ないし１１に係る特許に対する特許異議の申立てについて、次のとおり決定する。
【結　論】
　訂正を認める。
　特許第３１７０５１１号の請求項１ないし１１に係る特許を取り消す。
【理　由】
１．手続きの経緯
　
　本件特許第３１７０５１１号の発明についての出願は、平成３年１０月２２日に出願され、平成１３年３月１６日にその発明について特許権の設定登録がなされ、その後、特許異議の申し立てがあり、当審において取消理由通知をしたところ、その指定期間内である平成１４年４月８日に訂正請求がなされたものである。
　
２．訂正の適否
（１）訂正の内容
　
ア．訂正事項ａ
　請求項１の
「前記制御回路は、前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させるように、前記入出力切り換え手段を制御する」
を、特許請求の範囲の減縮を目的として、
「前記制御回路は、前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させ、
前記ＶＴＲ／カメラモード選択手段によりＶＴＲモードが選択されているときであって、記録および再生が停止しているストップモードであるときは、前記入出力端子を出力状態にするように、前記入出力切り換え手段を制御する」
と訂正する。
　
イ．訂正事項ｂ
　請求項７の
「前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させるように制御する」
を、特許請求の範囲の減縮を目的として、
「前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させ、
前記ＶＴＲ／カメラモード選択手段によりＶＴＲモードが選択されているときであって、記録および再生が停止しているストップモードであるときは、前記入出力端子を出力状態にするように制御する」
と訂正する。
　
（２）訂正の目的の適否、新規事項の有無、及び特許請求の範囲の拡張・変更の存否
　上記訂正事項ａ及びｂは、特許請求の範囲の減縮を目的とするものであって、新規事項の追加に該当せず、実質上特許請求の範囲を拡張し、又は変更するものではない。
　
（３）むすび
　したがって、上記訂正は、特許法第１２０条の４第３項において準用する平成６年法律第１１６号による改正前の特許法第１２６条第１項ただし書き、第２項及び第３項の規定に適合するので、当該訂正を認める。
　
３．本件特許発明
　
　上記２．で示したように上記訂正が認められるから、本件の請求項１ないし１１に係る発明は、平成１４年４月８日付け訂正請求書に添付された全文訂正明細書の請求項１ないし１１に記載された事項により特定される次のとおりのものである。
　
『【請求項１】　光学像を光電変換する撮像素子と、該撮像素子から出力された信号を処理する信号処理回路と、映像信号の入出力を兼用する入出力端子と、該入出力端子の入力と出力を切り換える入出力切り換え手段と、前記信号処理回路で処理された映像信号または前記入出力端子から入力された映像信号を記録する記録回路と、ＶＴＲに記録された映像信号を再生する再生回路と、ＶＴＲモードとカメラモードの選択を行うＶＴＲ／カメラモード選択手段と、前記ＶＴＲへの記録指示を行う録画指示手段と、前記ＶＴＲに記録された映像信号の再生指示を行う再生指示手段と、前記ＶＴＲ／カメラモード選択手段と前記録画指示手段と前記再生指示手段の操作に応じて前記入出力切り換え手段を制御する制御回路とを有し、前記制御回路は、前記ＶＴＲ／カメラモード選択手段によりカメラモードが選択されているときは、前記入出力端子から映像信号を出力させ、前記ＶＴＲ／カメラモード選択手段によりＶＴＲモードが選択されているときであって、前記録画指示手段の操作により録画モードであるときは、前記入出力端子から映像信号を入力させ、前記ＶＴＲ／カメラモード選択手段によりＶＴＲモードが選択されているときであって、前記再生指示手段の操作により再生モードであるときは、前記入出力端子から映像信号を出力させ、前記ＶＴＲ／カメラモード選択手段によりＶＴＲモードが選択されているときであって、記録および再生が停止しているストップモードであるときは、前記入出力端子を出力状態にするように、前記入出力切り換え手段を制御することを特徴とするビデオカメラ。（以下「本件発明１」という。）
　
【請求項２】　前記ＶＴＲモードは、前記ビデオカメラをＶＴＲとして使用するモードであり、前記カメラモードは、前記ビデオカメラをカメラとして使用するモードであることを特徴とする請求項１に記載のビデオカメラ。（以下「本件発明２」という。）
　
【請求項３】　前記記録回路は、前記カメラモードが選択され、前記録画指示手段が操作されると、前記信号処理回路から出力された映像信号を前記ＶＴＲに記録させ、前記ＶＴＲモードが選択され、前記録画指示手段の操作により録画モードであるときは、前記入出力端子から入力された映像信号を前記ＶＴＲに記録させ、前記ＶＴＲ再生回路は、前記ＶＴＲモードが選択され、前記再生指示手段の操作により再生モードであるときは、前記ＶＴＲに記録された映像信号を再生させることを特徴とする請求項１に記載のビデオカメラ。（以下「本件発明３」という。）
　
【請求項４】　記録の停止を指示するストップ指示手段を有し、前記制御回路は、前記カメラモード選択手段によりカメラモードが選択されているときは、前記ストップ指示手段が操作されたときであっても、前記入出力端子から映像信号を出力させるように前記入出力切り換え手段を制御することを特徴とする請求項１乃至３のいずれかに記載のビデオカメラ。（以下「本件発明４」という。）
　
【請求項５】　マイクと、該マイクから出力された音声信号を処理する音声信号処理回路と、音声信号の入出力を兼用する音声信号入出力端子と、該音声信号入出力端子の入力と出力を切り換える音声信号入出力切り換え手段とを有し、前記制御回路は、前記ＶＴＲ／カメラモード選択手段によりカメラモードが選択されているときは、前記音声信号入出力端子から音声信号を出力させ、前記ＶＴＲ／カメラモード選択手段によりＶＴＲモードが選択されているときであって、前記録画指示手段の操作により録画モードであるときは、前記音声信号入出力端子から音声信号を入力させ、前記ＶＴＲ／カメラモード選択手段によりＶＴＲモードが選択されているときであって、前記再生指示手段の操作により再生モードであるときは、前記音声信号入出力端子から音声信号を出力させるように、前記音声信号入出力切り換え手段を制御することを特徴とする請求項１乃至４のいずれかに記載のビデオカメラ。（以下「本件発明５」という。）
　
【請求項６】　前記記録回路は、前記カメラモードが選択され、前記録画指示手段が操作されると、前記音声信号処理回路から出力された音声信号を前記ＶＴＲに記録させ、前記ＶＴＲモードが選択され、前記録画指示手段の操作により録画モードであるときは、前記音声信号入出力端子から入力された音声信号を前記ＶＴＲに記録させ、前記ＶＴＲ再生回路は、前記ＶＴＲモードが選択され、前記再生指示手段の操作により再生モードであるときは、前記ＶＴＲに記録された音声信号を再生させることを特徴とする請求項５に記載のビデオカメラ。（以下「本件発明６」という。）
　
【請求項７】　光学像を光電変換する撮像素子と、該撮像素子から出力された信号を処理する信号処理回路と、映像信号の入出力を兼用する入出力端子と、前記信号処理回路で処理された映像信号または前記入出力端子から入力された映像信号を記録する記録回路と、ＶＴＲに記録された映像信号を再生する再生回路と、ＶＴＲモードとカメラモードの選択を行うＶＴＲ／カメラモード選択手段と、前記ＶＴＲへの記録指示を行う録画指示手段と、前記ＶＴＲに記録された映像信号の再生指示を行う再生指示手段と、前記ＶＴＲ／カメラモード選択手段と前記録画指示手段と前記再生指示手段の操作に応じて前記入出力切り換え手段を制御する制御回路とを有するビデオカメラの制御方法であって、前記ＶＴＲ／カメラモード選択手段によりカメラモードが選択されているときは、前記入出力端子から映像信号を出力させ、前記ＶＴＲ／カメラモード選択手段によりＶＴＲモードが選択されているときであって、前記録画指示手段の操作により録画モードであるときは、前記入出力端子から映像信号を入力させ、前記ＶＴＲ／カメラモード選択手段によりＶＴＲモードが選択されているときであって、前記再生指示手段の操作により再生モードであるときは、前記入出力端子から映像信号を出力させるように制御することを特徴とするビデオカメラの制御方法。（以下「本件発明７」という。）
　
【請求項８】　前記カメラモードが選択され、前記録画指示手段が操作されると、前記記録回路が前記信号処理回路から出力された映像信号を前記ＶＴＲに記録させ、前記ＶＴＲモードが選択され、前記録画指示手段の操作により録画モードであるときは、前記記録回路が前記入出力端子から入力された映像信号を前記ＶＴＲに記録させ、前記ＶＴＲモードが選択され、前記再生指示手段の操作により再生モードであるときは、前記再生回路が前記ＶＴＲに記録された映像信号を再生させるように制御することを特徴とする請求項７に記載のビデオカメラの制御方法。（以下「本件発明８」という。）
　
【請求項９】　記録の停止を指示するストップ指示手段を有し、前記カメラモード選択手段によりカメラモードが選択されているときは、前記ストップ指示手段が操作されたときであっても、前記入出力端子から映像信号を出力させるように制御することを特徴とする請求項７又は８に記載のビデオカメラの制御方法。（以下「本件発明９」という。）
　
【請求項１０】　マイクと、該マイクから出力された音声信号を処理する音声信号処理回路と、音声信号の入出力を兼用する音声信号入出力端子とを有し、前記ＶＴＲ／カメラモード選択手段によりカメラモードが選択されているときは、前記音声信号入出力端子から音声信号を出力させ、前記ＶＴＲ／カメラモード選択手段によりＶＴＲモードが選択されているときであって、前記録画指示手段の操作により録画モードであるときは、前記音声信号入出力端子から音声信号を入力させ、前記ＶＴＲ／カメラモード選択手段によりＶＴＲモードが選択されているときであって、前記再生指示手段の操作により再生モードであるときは、前記音声信号入出力端子から音声信号を出力させるように制御することを特徴とする請求項７乃至９のいずれかに記載のビデオカメラの制御方法。（以下「本件発明１０」という。）
　
【請求項１１】　前記カメラモードが選択され、前記録画指示手段が操作されると、前記記録回路が前記音声信号処理回路から出力された音声信号を前記ＶＴＲに記録させ、前記ＶＴＲモードが選択され、前記録画指示手段の操作により録画モードであるときは、前記記録回路が前記音声信号入出力端子から入力された音声信号を記録させ、前記ＶＴＲモードが選択され、前記再生指示手段の操作により再生モードであるときは、前記ＶＴＲ再生回路が前記ＶＴＲに記録された音声信号を再生させるように制御することを特徴とする請求項１０に記載のビデオカメラの制御方法。（以下「本件発明１１」という。）
　
４．引用刊行物に記載された発明
　これに対して、当審で通知した取消理由通知書において引用した刊行物（特開平１−２１３８０３号公報、以下「引用例」という。）には、以下の記載がある。
　
「この種の装置として、例えばＶＴＲがあり、特にカメラを一体的に組込んだ所謂カムコーダも普及しつつある。」（第１頁左下欄第１７行〜第１９行）
　
「図中１はカメラ部、２はカメラからのビデオ信号と後述する外部接続端子８からのビデオ信号とを選択的に出力する切換スイッチ、３はスイッチ２から出力されるビデオ信号を記録再生するＶＴＲ部である。ＶＴＲ部３は周知のメカ部及び電子回路から構成されており、図中ＩＮはビデオ信号の入力側、ＯＵＴはビデオ信号の出力側を示す。」（第２頁右上欄第９行〜第１５行）
　
「７はマニュアル操作可能で、ＶＴＲで記録する信号のソースを外部入力とカメラ入力との間で選択するアンチロックタイプの選択キー（ＬＩＮＥ）、８は外部の機器との接続のための外部接続端子（例えばピンジャック端子）である。」（第２頁左下欄第５行〜第９行）
　
「第３図は本発明の他の実施例としてのカムコーダな構成を示す図、第４図は第３図におけるＣＰＵ５の動作を示すフローチャートである。」（第３頁右上欄第６行〜第８行）
　
「９はロックタイプの入力スイッチであり、本実施例にあってはＣＡＭＥ、ＶＴＲの２つのポジションを取り得る。スイッチ２は入力スイッチ９がＣＡＭＥ側ではａ側、ＶＴＲ側ではｂ側に接続される。」（第３頁右上欄第１０行〜第１４行）
　
「そしてここで録画キーＲＥＣがオンされると、この信号はＶＴＲ部３により記録される。またキー入力部６にてＳＴＯＰキーが操作され、更にＰＬＡＹキーが操作されれば、ＶＴＲ部３は再生モードとなる。このときスイッチ４はＣＰＵ５によりａ側に接続され、端子８は再生ビデオ信号を出力する。この切換え動作のステップは第４図（３）にて示される。」（第３頁左下欄第１２行〜第１９行）
　
「更にこの停止モードで、ＣＡＭＥ／ＶＴＲ切換えスイッチ９がＣＡＭＥ側に切換えられるとＣＰＵ５はカメラに電源を供給し、かつスイッチ４をａ側に切換える。この切換え動作は第４図（５）のステップにて実行される。」（第３頁右下欄第４行〜第８行）
　
　これらの記載及び図面を参照すると、引用例の第３図には以下の発明（以下「引用例記載の発明」という）が記載されている。
　
「カメラ部１と
映像信号の入出力を兼用する外部接続端子８と、
該外部接続端子８の入力と出力を切り換える切換スイッチ２，４と、
前記カメラ部１で処理された映像信号または前記外部接続端子８から入力された映像信号を記録するとともに、記録された映像信号を再生するＶＴＲ部３と、
ＶＴＲ側及びＣＡＭＥ側の２つのポジションを取り得る入力スイッチ９と、
前記ＶＴＲ部３への記録指示を行うＲＥＣキーと、
前記ＶＴＲ部３に記録された映像信号の再生指示を行うＰＬＡＹキーと、
前記入力スイッチ９と前記ＲＥＣキーと前記ＰＬＡＹキーの操作に応じて前記切換スイッチ４を制御するＣＰＵ５とを有し、
前記入力スイッチ９がＣＡＭＥ側であるときは、前記外部接続端子８から映像信号を出力させ、
前記入力スイッチ９がＶＴＲ側であって、前記ＲＥＣキーの操作により録画モードであるときは、前記外部接続端子８から映像信号を入力させ、
前記入力スイッチ９がＶＴＲ側であって、前記ＰＬＡＹキーの操作により再生モードであるときは、前記外部接続端子８から映像信号を出力させるように、前記切換スイッチ２，４を制御することを特徴とするカムコーダ。」
　
５．対比及び判断
　
（１）本件発明１について
　
　引用例記載の発明における「外部接続端子８」「切換スイッチ２，４」「入力スイッチ９」「入力スイッチ９をＶＴＲ側にすること」「入力スイッチ９をＣＡＭＥ側にすること」「ＲＥＣキー」「ＰＬＡＹキー」「ＣＰＵ５」「カムコーダ」が、本件発明１の「入出力端子」「入出力切り換え手段」「ＶＴＲ／カメラモード選択手段」「ＶＴＲモードを選択すること」「カメラモードを選択すること」「録画指示手段」「再生指示手段」「制御回路」「ビデオカメラ」に相当する。
　
　本件発明１における「撮像素子から出力された信号を処理する信号処理回路」の記載からみて、本件発明１の「信号処理回路」は実施例の「カメラ信号処理回路２」に対応するから、引用例記載の発明の「カメラ部１」は、本件発明１でいう「撮像素子」及び「信号処理回路」を有していると認められる。
　
　引用例記載の発明の「ＶＴＲ部３」は、本件発明１でいう「記録回路」、「再生回路」及び「ＶＴＲ」を有していると認められる。
　
　引用例記載の発明は、入力スイッチ９がＣＡＭＥ側にあるとスイッチ２，４がａ側に接続され、この時ＶＴＲ部３ではカメラ部で撮像されているビデオ信号がそのまま出力されている。これが本件発明１の「前記ＶＴＲ／カメラモード選択手段によりカメラモードが選択されているときは、前記入出力端子から映像信号を出力させ」に相当する。
　
　引用例記載の発明は、入力スイッチ９がＶＴＲ側にありＰＬＡＹキーが押されるとスイッチ４がａ側に接続されている。これが本件発明１の「前記ＶＴＲ／カメラモード選択手段によりＶＴＲモードが選択されているときであって、前記再生指示手段の操作により再生モードであるときは、前記入出力端子から映像信号を出力させる」に相当する。
　
　引用例記載の発明は、入力スイッチ９がＶＴＲ側にありＰＬＡＹキーが押されていないときはスイッチ２，４がｂ側に接続されており、これはＰＬＡＹキー以外のキーが押されたときもこの状態である。これが本件発明１の「前記ＶＴＲ／カメラモード選択手段によりＶＴＲモードが選択されているときであって、前記録画指示手段の操作により録画モードであるときは、前記入出力端子から映像信号を入力させ」に相当する。
　
　したがって、本件発明１と引用例記載の発明とを対比すると、
　
「光学像を光電変換する撮像素子と、
該撮像素子から出力された信号を処理する信号処理回路と、
映像信号の入出力を兼用する入出力端子と、
該入出力端子の入力と出力を切り換える入出力切り換え手段と、
前記信号処理回路で処理された映像信号または前記入出力端子から入力された映像信号を記録する記録回路と、
ＶＴＲに記録された映像信号を再生する再生回路と、
ＶＴＲモードとカメラモードの選択を行うＶＴＲ／カメラモード選択手段と、
前記ＶＴＲへの記録指示を行う録画指示手段と、
前記ＶＴＲに記録された映像信号の再生指示を行う再生指示手段と、
前記ＶＴＲ／カメラモード選択手段と前記録画指示手段と前記再生指示手段の操作に応じて前記入出力切り換え手段を制御する制御回路とを有し、
前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させるように、前記入出力切り換え手段を制御することを特徴とするビデオカメラ。」
　
である点で一致し、以下の点で相違する。
　
相違点Ａ
　入出力切り換え手段を制御するのが、本件発明１では「制御回路」であるのに対して、引用例記載の発明ではスイッチ２を制御する「入力スイッチ９」及びスイッチ４を制御する「ＣＰＵ５」である点。
　
相違点Ｂ
　本件発明１では、ＶＴＲ／カメラモード選択手段によりＶＴＲモードが選択されているときであって、記録および再生が停止しているストップモードであるときは、「入出力端子を出力状態」にするように、入出力切り換え手段を制御しているのに対し、引用例記載の発明では、「停止モード（本願発明におけるストップモードに相当）」のときに「入出力端子を入力状態」にするように、入出力切り換え手段を制御している点。
　
　以下、相違点について検討する。
　
相違点Ａについて
　
　引用例の第１図には入出力切り換え手段に相当する切換スイッチ２，４をＣＰＵ５によって制御する構成が記載されており、また、第３図の構成において、ＣＰＵ５には、入力スイッチ９のキーの状態が入力されていることから、その状態に基づいてＣＰＵ５が切換スイッチ２，４を制御するよう構成することは当業者が通常なしうる程度の設計的事項であるものと認められる。
　
相違点Ｂについて
　
　引用例の第２図のフローチャートを参照すると、ＰＬＡＹキーをオンするとステップ（３）により切換スイッチ２，４はａ側（外部接続端子８は出力状態）に切り換えられるが、その後ＳＴＯＰキーがオンされて停止モードとなっても、切換スイッチ２，４はｂ側（外部接続端子８は入力状態）に戻されていないことから、この状態では、停止モードのときに「外部接続端子８を出力状態」にするように制御されており、引用例の第１図の実施例には、ＶＴＲモードの選択時ではないものの、「ＶＴＲの再生モードと停止モードの両モードにおいて外部接続端子８を出力状態とする技術」が記載されているものと認められるから、引用例の第３図に記載の発明において、「ＶＴＲモード選択時の停止モード時に外部接続端子８を出力状態とするよう設定すること」に格別の技術的困難性があるものとは認めらず、停止モードの時に外部接続端子８を入力状態とするか出力状態とするかは、当業者が必要に応じて適宜選択しうる設計的事項であるものと認められる。
　
　次に、上記相違点Ｂに関し、特許権者が平成１４年４月８日付け特許異議意見書において以下のように記載している点について検討する。
　
イ．特許権者は、特許異議意見書において、「本件特許発明では、上述のように停止モードのときは接続端子は出力状態でありますので、再生をしようとした際にスイッチの切り替えが不要です。従って、再生スイッチを操作するとすぐにＴＶ画面に再生映像を表示することができます。また、スイッチの切り換えによる画面の乱れもありません。」と述べているが、
　「再生モード」と「停止モード」との間でのスイッチの切り換えが不要となるように構成すれば、結果的に「録画モード」と「停止モード」との間でのスイッチの切り換えが必要となり、この場合には、「録画」と「停止」を繰り返すたびに、スイッチの切り換えによる「時間遅延」や「画像信号の乱れ」が発生することになるから、「停止モード」でのスイッチの状態を「再生モード」と同じとするか、「録画モード」と同じとするかは、どちらの切り換え動作における「遅延時間」及び「画像信号の乱れ」を少なくしたいかを比較考量することによって、当業者が適宜選択しうる事項と認められる。
　
ロ．更に、特許権者は上記特許異議意見書において、「なお、本特許発明では、停止モードの時に同期信号等を出力することによりＴＶ画面を安定させることもできます。例えばＴＶ画面をカメラから出力される信号によってブルーバックやブラックバックとし安定させることができる。さらにはカメラに関する情報をＴＶ画面に表示することもでき、これによってユーザはＴＶ画面を見ながらカメラの操作をすることができるため、使い勝手が向上する。又、このＴＶ画面に表示されるこの情報の有無によって接続が確実にされているか確かめることもでき、正しく接続されていないままユーザが操作を開始することを防止することができる。」と主張しているが、
　出願当初の明細書及び図面には、上記相違点Ｂに関連する記載として、【００１０】段落の「なお、前記ＡＶ−ＤＵＢスイッチ１５は、外部入力録画中に音声、映像を記録する機能を選択するスイッチであり、また、図３におけるストップとは各操作の停止を指している。」の記載、及び図３の記載しかなく、ストップモードにおいて「入出力端子を出力状態」にするように入出力切り換え手段を制御することの技術的意義については何らの説明も記載されていないことから、上記主張は、当初明細書の記載に基づく効果の主張とは認められなく、また、本件発明１に記載された構成に基づく効果の主張とも認められないから、特許権者による上記主張は採用することができない。
　
　したがって、本件発明１は引用例記載の発明から当業者が容易に発明をすることができたものと認められる。
　
（２）本件発明２について
　
　本件発明２と引用例記載の発明とを対比すると、前記（１）で指摘した相違点以外の相違点はないから、本件発明１と同様の理由により、引用例記載の発明から当業者が容易に発明をすることができたものと認められる。
　
（３）本件発明３について
　
　本件発明３と引用例記載の発明とを対比する。
　
　引用例記載の発明は、入力スイッチ９がＣＡＭＥ側にあるとスイッチ２，４がａ側に接続され、しかる後キー入力部６の操作に従って所望のモードに設定できるから、ＲＥＣキーが操作されればカメラ部１からの映像信号をＶＴＲ部３で記録していると認められる。これが本件発明３の「前記記録回路は、前記カメラモードが選択され、前記録画指示手段が操作されると、前記信号処理回路から出力された映像信号を前記ＶＴＲに記録させ」に相当する。
　
　引用例記載の発明は、入力スイッチ９がＶＴＲ側にありＰＬＡＹキーが押されるとスイッチ４がａ側に接続され、該ＰＬＡＹキーの操作に基づきＶＴＲ部３は再生動作をしていると認められる。これが本件発明３の「前記ＶＴＲ再生回路は、前記ＶＴＲモードが選択され、前記再生指示手段の操作により再生モードであるときは、前記ＶＴＲに記録された映像信号を再生させる」に相当する。
　
　引用例記載の発明は、入力スイッチ９がＶＴＲ側にありＰＬＡＹキーが押されていないときはスイッチ２，４がｂ側に接続されており、これはＰＬＡＹキー以外のキーが押されたときもこの状態である。そしてＲＥＣキーが操作されれば外部接続端子８からの映像信号をＶＴＲ部３で記録していると認められる。この構成が本件発明３の「（記録回路は、）前記ＶＴＲモードが選択され、前記録画指示手段の操作により録画モードであるときは、前記入出力端子から入力された映像信号を前記ＶＴＲに記録させ」に相当する。
　
　したがって、本件発明３と引用例記載の発明とを対比すると、前記（１）で指摘した相違点以外の相違点はないから、本件発明１と同様の理由により、引用例記載の発明から当業者が容易に発明をすることができたものと認められる。
　
（４）本件発明４について
　
　本件発明４と引用例記載の発明とを対比する。
　
　引用例記載の発明の「ＳＴＯＰキー」が、本件発明４の「ストップ指示手段」に相当する。
　
　引用例記載の発明は、入力スイッチ９がＣＡＭＥ側にあるとスイッチ２，４がａ側に接続され、この時ＶＴＲ部３ではカメラ部１で撮像されているビデオ信号がそのまま出力されている。そしてスイッチ２，４がこの状態で、キー入力部６の操作に従った所望のモードに設定するから、ＳＴＯＰキーが操作されてもスイッチ２，４はこの状態であると認められる。これが本件発明４の「前記カメラモード選択手段によりカメラモードが選択されているときは、前記ストップ指示手段が操作されたときであっても、前記入出力端子から映像信号を出力させるように前記入出力切り換え手段を制御する」に相当する。
　
　したがって、本件発明４と引用例記載の発明とを対比すると、前記（１）で指摘した相違点以外の相違点はないから、本件発明１と同様の理由により、引用例記載の発明から当業者が容易に発明をすることができたものと認められる。
　
（５）本件発明５について
　
　本件発明５は、音声信号に対して、カメラモード、ＶＴＲモードかつ録画モード、ＶＴＲモードかつ再生モードの場合に、本件発明１における映像信号と同様の取り扱いをするものである。
　
　これに対して、引用例にも、外部接続端子の取り扱いはビデオ用の外部接続端子と同様であることが記載されているから、引用例には、音声信号に対して引用例記載の発明の映像信号と同様の取り扱いをする発明が記載されていると認められる。
　
　してみると、本件発明５と引用例記載の発明とを対比したとき、前記（１）で指摘した相違点以外の相違点はないから、本件発明１と同様の理由により、引用例記載の発明から当業者が容易に発明をすることができたものと認められる。
　
（６）本件発明６について
　
　本件発明６は、音声信号に対して、本件発明３における映像信号と同様の取り扱いをするものである。
　
　これに対して、引用例にも、外部接続端子の取り扱いはビデオ用の外部接続端子と同様であることが記載されているから、引用例には、音声信号に対して引用例記載の発明の映像信号と同様の取り扱いをする発明が記載されていると認められる。
　
　してみると、本件発明６と引用例記載の発明とを対比したとき、前記（１）で指摘した相違点以外の相違点はないから、本件発明１と同様の理由により、引用例記載の発明から当業者が容易に発明をすることができたものと認められる。
　
（７）本件発明７ないし１１について
　
　本件発明７、８、９、１０、１１は方法の発明であって、それぞれ、本件発明１、３、４、５、６の物の発明に比し、物の発明と方法の発明という単なるカテゴリ表現上の差異を有するにすぎないから、前記（１）（３）（４）（５）（６）と同様の理由により、引用例記載の発明から当業者が容易に発明をすることができたものと認められる。
　
６．むすび
　
　以上のとおりであるから、本件発明１ないし１１は、特許法第２９条第２項の規定により特許を受けることができない。
　したがって、本件発明１ないし１１についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月２７日（２００２．５．２７）
【訂正の要旨】
（訂正の要旨）
（１）請求項１の
「前記制御回路は、
前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させるように、前記入出力切り換え手段を制御する」
を
「前記制御回路は、
前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させ、
前記ＶＴＲ／カメラモード選択手段によりＶＴＲモードが選択されているときであって、記録および再生が停止しているストップモードであるときは、前記入出力端子を出力状態にするように、前記入出力切り換え手段を制御する」
と訂正する。
（２）請求項７の
「前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させるように制御する」
を
「前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させ、
前記ＶＴＲ／カメラモード選択手段によりＶＴＲモードが選択されているときであって、記録および再生が停止しているストップモードであるときは、前記入出力端子を出力状態にするように制御する」
と訂正する。
（５４）【発明の名称】
ビデオカメラ及びビデオカメラの制御方法
（５７）【特許請求の範囲】
　【請求項１】　光学像を光電変換する撮像素子と、
該撮像素子から出力された信号を処理する信号処理回路と、
映像信号の入出力を兼用する入出力端子と、
該入出力端子の入力と出力を切り換える入出力切り換え手段と、
前記信号処理回路で処理された映像信号または前記入出力端子から入力された映像信号を記録する記録回路と、
ＶＴＲに記録された映像信号を再生する再生回路と、
ＶＴＲモードとカメラモードの選択を行うＶＴＲ／カメラモード選択手段と、
前記ＶＴＲへの記録指示を行う録画指示手段と、
前記ＶＴＲに記録された映像信号の再生指示を行う再生指示手段と、
前記ＶＴＲ／カメラモード選択手段と前記録画指示手段と前記再生指示手段の操作に応じて前記入出力切り換え手段を制御する制御回路とを有し、
前記制御回路は、
前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させ
、
前記ＶＴＲ／カメラモード選択手段によりＶＴＲモードが選択されているときであって、記録および再生が停止しているストップモードであるときは、前記入出力端子を出力状態にす
　【請求項２】　前記ＶＴＲモードは、前記ビデオカメラをＶＴＲとして使用するモードであり、前記カメラモードは、前記ビデオカメラをカメラとして使用するモードであることを特徴とする請求項１に記載のビデオカメラ。
　【請求項３】　前記記録回路は、前記カメラモードが選択され、前記録画指示手段が操作されると、前記信号処理回路から出力された映像信号を前記ＶＴＲに記録させ、
前記ＶＴＲモードが選択され、前記録画指示手段の操作により録画モードであるときは、前記入出力端子から入力された映像信号を前記ＶＴＲに記録させ、
前記ＶＴＲ再生回路は、前記ＶＴＲモードが選択され、前記再生指示手段の操作により再生モードであるときは、前記ＶＴＲに記録された映像信号を再生させることを特徴とする請求項１に記載のビデオカメラ。
　【請求項４】　記録の停止を指示するストップ指示手段を有し、
前記制御回路は、前記カメラモード選択手段によりカメラモードが選択されているときは、前記ストップ指示手段が操作されたときであっても、前記入出力端子から映像信号を出力させるように前記入出力切り換え手段を制御することを特徴とする請求項１乃至３のいずれかに記載のビデオカメラ。
　【請求項５】　マイクと、該マイクから出力された音声信号を処理する音声信号処理回路と、
音声信号の入出力を兼用する音声信号入出力端子と、
該音声信号入出力端子の入力と出力を切り換える音声信号入出力切り換え手段とを有し、
前記制御回路は、
前記ＶＴＲ／カメラモード選択手段によりカメラモードが選択されているときは、前記音声信号入出力端子から音声信号を出力させ、
前記ＶＴＲ／カメラモード選択手段によりＶＴＲモードが選択されているときであって、前記録画指示手段の操作により録画モードであるときは、前記音声信号入出力端子から音声信号を入力させ、
前記ＶＴＲ／カメラモード選択手段によりＶＴＲモードが選択されているときであって、前記再生指示手段の操作により再生モードであるときは、前記音声信号入出力端子から音声信号を出力させるように、前記音声信号入出力切り換え手段を制御することを特徴とする請求項１乃至４のいずれかに記載のビデオカメラ。
　【請求項６】　前記記録回路は、前記カメラモードが選択され、前記録画指示手段が操作されると、前記音声信号処理回路から出力された音声信号を前記ＶＴＲに記録させ、
前記ＶＴＲモードが選択され、前記録画指示手段の操作により録画モードであるときは、前記音声信号入出力端子から入力された音声信号を前記ＶＴＲに記録させ、
前記ＶＴＲ再生回路は、前記ＶＴＲモードが選択され、前記再生指示手段の操作により再生モードであるときは、前記ＶＴＲに記録された音声信号を再生させることを特徴とする請求項５に記載のビデオカメラ。
　【請求項７】　光学像を光電変換する撮像素子と、該撮像素子から出力された信号を処理する信号処理回路と、映像信号の入出力を兼用する入出力端子と、
前記信号処理回路で処理された映像信号または前記入出力端子から入力された映像信号を記録する記録回路と、ＶＴＲに記録された映像信号を再生する再生回路と、ＶＴＲモードとカメラモードの選択を行うＶＴＲ／カメラモード選択手段と、前記ＶＴＲへの記録指示を行う録画指示手段と、前記ＶＴＲに記録された映像信号の再生指示を行う再生指示手段と、前記ＶＴＲ／カメラモード選択手段と前記録画指示手段と前記再生指示手段の操作に応じて前記入出力切り換え手段を制御する制御回路とを有するビデオカメラの制御方法であって、
前記ＶＴＲ／カメラモード選択手段によりカメラモードが選択されているときは、前記入出力端子から映像信号を出力させ、
前記ＶＴＲ／カメラモード選択手段によりＶＴＲモードが選択されているときであって、前記録画指示手段の操作により録画モードであるときは、前記入出力端子から映像信号を入力させ、
前記ＶＴＲ／カメラモード選択手段によりＶＴＲモードが選択されているときであって、前記再生指示手段の操作により再生モードであるときは、前記入出力端子から映像信号を出力させ
、
前記ＶＴＲ／カメラモード選択手段によりＶＴＲモードが選択されているときであって、記録および再生が停止しているストップモードであるときは、前記入出力端子を出力状態にす
　【請求項８】　前記カメラモードが選択され、前記録画指示手段が操作されると、前記記録回路が前記信号処理回路から出力された映像信号を前記ＶＴＲに記録させ、
前記ＶＴＲモードが選択され、前記録画指示手段の操作により録画モードであるときは、前記記録回路が前記入出力端子から入力された映像信号を前記ＶＴＲに記録させ、
前記ＶＴＲモードが選択され、前記再生指示手段の操作により再生モードであるときは、前記再生回路が前記ＶＴＲに記録された映像信号を再生させるように制御することを特徴とする請求項７に記載のビデオカメラの制御方法。
　【請求項９】　記録の停止を指示するストップ指示手段を有し、
前記カメラモード選択手段によりカメラモードが選択されているときは、前記ストップ指示手段が操作されたときであっても、前記入出力端子から映像信号を出力させるように制御することを特徴とする請求項７又は８に記載のビデオカメラの制御方法。
　【請求項１０】　マイクと、該マイクから出力された音声信号を処理する音声信号処理回路と、音声信号の入出力を兼用する音声信号入出力端子とを有し、
前記ＶＴＲ／カメラモード選択手段によりカメラモードが選択されているときは、前記音声信号入出力端子から音声信号を出力させ、
前記ＶＴＲ／カメラモード選択手段によりＶＴＲモードが選択されているときであって、前記録画指示手段の操作により録画モードであるときは、前記音声信号入出力端子から音声信号を入力させ、
前記ＶＴＲ／カメラモード選択手段によりＶＴＲモードが選択されているときであって、前記再生指示手段の操作により再生モードであるときは、前記音声信号入出力端子から音声信号を出力させるように制御することを特徴とする請求項７乃至９のいずれかに記載のビデオカメラの制御方法。
　【請求項１１】　前記カメラモードが選択され、前記録画指示手段が操作されると、前記記録回路が前記音声信号処理回路から出力された音声信号を前記ＶＴＲに記録させ、
前記ＶＴＲモードが選択され、前記録画指示手段の操作により録画モードであるときは、前記記録回路が前記音声信号入出力端子から入力された音声信号を記録させ、
前記ＶＴＲモードが選択され、前記再生指示手段の操作により再生モードであるときは、前記ＶＴＲ再生回路が前記ＶＴＲに記録された音声信号を再生させるように制御することを特徴とする請求項１０に記載のビデオカメラの制御方法。
【発明の詳細な説明】
　【０００１】
　【産業上の利用分野】本発明はビデオカメラ及びビデオカメラの制御方法に係り、特に、オーディオ信号とビデオ信号の入出力端子をもつビデオカメラ（ＶＴＲ一体型ビデオカメラ）におけるオーディオ信号・ビデオ信号（以下、これをＡＶと称す）の入出力の切り換え技術に関する。
　【０００２】
　【従来の技術】図４に示すように、従来のＶＴＲ一体形ビデオカメラ２１には、一般にテレビ等に出力するためのＡＶ出力端子２２と外部からの信号を記録するためのＡＶ入力端子２３とが具備されており、それぞれにＡＶケーブル２４を接続することによって、外部機器にＡＶ信号を出力もしくは外部機器からのＡＶ信号を入力するようになっていた。ここで、ＡＶ出力端子２２やＡＶ入力端子２３に接続されるプラグには、ＵＳピンプラグ（ピンピンプラグ）と複合プラグ（マルチコネクタ）とがあるが、ＵＳピンは汎用性が良くケーブルを入手しやすいため図４の如きＵＳピンを用いたＡＶケーブル（ＵＳピンケーブル）２４が多用されている。しかしながら、ＵＳピンケーブルを用いると機器側に入出力で４ピンに対応する接続端子数（接続部位）を必要とするため、図４に示すようにＡＶ出力端子２２とＡＶ入力端子２３とが機器外表面に占める面積が大きくなって、最近の小型のＶＴＲ一体形ビデオカメラにおいては、機器外表面に配すべき他の部材との兼ね合いから小型化を阻害する要因となるという問題があった。なお、複合プラグを用いると機器側の接続端子部位は小型化できて場所を取らないが、複合プラグは汎用品でないためケーブルの入手が難しく、また、いずれにせよこの場合も入力用と出力用とに２本の専用ケーブルを必要とした。
　【０００３】一方、特開平２−９６９０３号公報においては、ＶＴＲの外部接続用の端子を、入出力を兼用するＡＶ入出力端子（オーディオ信号用入出力端子とビデオ信号用入出力端子）とし、このＡＶ入出力端子を入出力切り換えスイッチによってＶＴＲ内部の入力端子もしくは出力端子と切り換え・接続するようにした技術が開示されている。そしてこの先願では、斯様な構成のＶＴＲを２台相互に接続してダビングする際において、接続ケーブル本数の削減、並びに再生側と記録側とを逆にする際の操作性の向上を達成可能にしている。
　【０００４】
　【発明が解決しようとする課題】ところで、上記した先願のＶＴＲにおいては、ＶＴＲを再生側とする場合はＡＶ入出力端子をＶＴＲ内部の出力端子と接続し、ＶＴＲを記録側とする場合はＡＶ入出力端子をＶＴＲ内部の入力端子と接続するようにしたものであって、ＶＴＲ一体形ビデオカメラへの適応については何等の配慮もなされていない。すなわち、ＶＴＲ一体形ビデオカメラにおいては、公知のようにＶＴＲ一体形ビデオカメラをＶＴＲとして使用するＶＴＲモードと、ＶＴＲ一体形ビデオカメラをカメラとして使用するカメラモードとがあり、例えばＶＴＲモードにおいて録画モードを選択した場合にはＡＶ入出力端子は入力端子として機能する必要があり、カメラモードにおいて録画モードを選択した場合にはＡＶ入出力端子は出力端子として機能する必要がある。従って、ＶＴＲ一体形ビデオカメラにおいては、ＶＴＲモードまたはカメラモードの選択と、録画モードや再生モード等の操作モードの選択との組合せによって、ＡＶ入出力端子を出力端子とするか入力端子とするかを決定しなければならないが、上記した先願にはこの点についての配慮が全くなされていない。
　【０００５】本発明は上記の点に鑑みなされたもので、その目的とするところは、入力と出力とを兼用するＡＶ入出力端子をもち外部機器との接続ケーブル本数が削減できる構成において、ＡＶ入出力端子の入出力の切り換えを使用形態に応じて自動的に適正に行ない得る、入出力制御のための手順が簡単で使い勝手の良好なビデオカメラ及びビデオカメラの制御方法を提供することにある。
　【０００６】
　【課題を解決するための手段】上記した目的を達成するため、本発明は、光学像を光電変換する撮像素子と、該撮像素子から出力された信号を処理する信号処理回路と、映像信号の入出力を兼用する入出力端子と、該入出力端子の入力と出力を切り換える入出力切り換え手段と、前記信号処理回路で処理された映像信号または前記入出力端子から入力された映像信号を記録する記録回路と、ＶＴＲに記録された映像信号を再生する再生回路と、ＶＴＲモードとカメラモードの選択を行うＶＴＲ／カメラモード選択手段と、前記ＶＴＲへの記録指示を行う録画指示手段と、前記ＶＴＲに記録された映像信号の再生指示を行う再生指示手段と、前記ＶＴＲ／カメラモード選択手段と前記録画指示手段と前記再生指示手段の操作に応じて前記入出力切り換え手段を制御する制御回路とを有するビデオカメラにおいて、前記制御回路は、前記ＶＴＲ／カメラモード選択手段によりカメラモードが選択されているときは、前記入出力端子から映像信号を出力させ、前記ＶＴＲ／カメラモード選択手段によりＶＴＲモードが選択されているときであって、前記録画指示手段の操作により録画モードであるときは、前記入出力端子から映像信号を入力させ、前記ＶＴＲ／カメラモード選択手段によりＶＴＲモードが選択されているときであって、前記再生指示手段の操作により再生モードであるときは、前記入出力端子から映像信号を出力させるように、前記入出力切り換え手段を制御するように、構成される。また、前記目的を達成するため、本発明は、光学像を光電変換する撮像素子と、該撮像素子から出力された信号を処理する信号処理回路と、映像信号の入出力を兼用する入出力端子と、前記信号処理回路で処理された映像信号または前記入出力端子から入力された映像信号を記録する記録回路と、ＶＴＲに記録された映像信号を再生する再生回路と、ＶＴＲモードとカメラモードの選択を行うＶＴＲ／カメラモード選択手段と、前記ＶＴＲへの記録指示を行う録画指示手段と、前記ＶＴＲに記録された映像信号の再生指示を行う再生指示手段と、前記ＶＴＲ／カメラモード選択手段と前記録画指示手段と前記再生指示手段の操作に応じて前記入出力切り換え手段を制御する制御回路とを有するビデオカメラの制御方法において、前記ＶＴＲ／カメラモード選択手段によりカメラモードが選択されているときは、前記入出力端子から映像信号を出力させ、前記ＶＴＲ／カメラモード選択手段によりＶＴＲモードが選択されているときであって、前記録画指示手段の操作により録画モードであるときは、前記入出力端子から映像信号を入力させ、前記ＶＴＲ／カメラモード選択手段によりＶＴＲモードが選択されているときであって、前記再生指示手段の操作により再生モードであるときは、前記入出力端子から映像信号を出力させるように制御する。
　【０００７】
　【作用】マイクロコンピュータ（以下、マイコンと称す）等で実現される制御手段は、ＶＴＲ／カメラモードと各種操作モードとの組合せによる入出力切り換えテーブルをもっており、ユーザがＶＴＲ／カメラモード選択スイッチによってＶＴＲモードまたはカメラモードの何れか一方を選択し、且つ、各種操作モード選択スイッチによって所望の操作モードを選択すると、上記テーブルの内容を参照して入出力切り換えスイッチ手段を制御し、ＡＶ入出力端子（オーディオ信号用入出力端子とビデオ信号用入出力端子）の入出力を自動的に適正なものに切り換える。
　【０００８】
　【実施例】以下、本発明の１実施例を図１〜図３によって説明する。図１は本実施例に係るＶＴＲ一体形ビデオカメラの要部ブロック図である。同図において、１はＣＣＤセンサー（撮像素子）、２はカメラ信号処理回路、３はマイク、４はマイク信号処理回路、５はＶＴＲ再生回路、６はＶＴＲ記録回路、７は映像信号処理回路、８は音声信号処理回路、９はＡＶ入出力切り換えスイッチ、１０はＡＶ入出力端子、１１はマイコン（制御回路）、１２はＶＴＲ／カメラモード選択スイッチ、１３は録画スイッチ、１４は再生スイッチ、１５はＡＶ−ＤＵＢスイッチである。カメラモード時には、ＣＣＤセンサー１で光電変換された映像入力信号はカメラ信号処理回路２を経て映像信号処理回路７に送出され、また、マイク３で変換された音声入力信号は音声信号処理回路８に送出され、映像信号処理回路７及び音声信号処理回路８から映像信号と音声信号がＶＴＲ記録回路６に出力されて記録が行なわれると共に、映像信号処理回路７及び音声信号処理回路８から映像信号と音声信号が、ＡＶ入出力切り換えスイッチ９を経由してＡＶ入出力端子１０に出力される。また、ＶＴＲモードの再生時等には、ＶＴＲ再生回路５からの再生映像信号及び再生音声信号が映像信号処理回路７と音声信号処理回路８にそれぞれ送出され、映像信号処理回路７及び音声信号処理回路８から映像信号と音声信号が、ＡＶ入出力切り換えスイッチ９を経由してＡＶ入出力端子１０に出力される。また、ＶＴＲモードの録画時には、ＡＶ入出力端子１０に入力された外部映像入力信号と外部音声入力信号は、ＡＶ入出力切り換えスイッチ９を経由して映像信号処理回路７及び音声信号処理回路８にそれぞれ送出され、映像信号処理回路７及び音声信号処理回路８から映像信号と音声信号がＶＴＲ記録回路６に出力されて記録が行なわれる。
　【０００９】ここで図１に示すように、前記ＡＶ入出力端子１０は、映像信号（ビデオ信号）の入出力を兼用する入出力端子１０ａと音声信号（オーディオ信号）の入出力を兼用する入出力端子１０ｂとを具備しており、また、前記ＡＶ入出力切り換えスイッチ９は、映像信号用の切り換えスイッチ９ａと音声信号用の切り換えスイッチ９ｂとを具備しており、映像信号用の切り換えスイッチ９ａの共通接点に映像信号用の入出力端子１０ａが接続され、音声信号用の切り換えスイッチ９ｂの共通接点に音声信号用の入出力端子１０ｂが接続されている。また、映像信号用の切り換えスイッチ９ａの２つの切り換え接点には前記映像信号処理回路７の出力端側と入力端側とがそれぞれ接続され、音声信号用の切り換えスイッチ９ｂの２つの切り換え接点には前記音声信号処理回路８の出力端側と入力端側とがそれぞれ接続されている。このようにＡＶ入出力端子１０が入出力端子を兼用するものとなっているため、前記したＵＳピンを用いたＡＶケーブル２４を使用する構成としても、図２に示すように本実施例のＶＴＲ一体形ビデオカメラ１６においては機器外表面に占める外部接続部位の面積が少なくなって小型化に寄与し、且つ、接続ケーブルの本数を削減することができる。
　【００１０】上記した構成のＡＶ入出力切り換えスイッチ９は、前記マイコン１１からの切り換え制御信号によってその切り換え状態をコントロールされるようになっており、マイコン１１は、ＶＴＲモードまたはカメラモードの選択と、録画、再生等の操作モードの選択との組合せを判別して、この判別結果に基づきＡＶ入出力切り換えスイッチ９の切り換え状態を自動的に制御するようになっている。すなわちマイコン１は、図３に示すような、前記ＶＴＲ／カメラモード選択スイッチ１２によるＶＴＲモードかカメラモードかの選択と、前記録画スイッチ１３、再生スイッチ１４、ＡＶ−ＤＵＢスイッチ１５による操作モードの選択との組合せによる入出力切り換えテーブルをもっており、この入出力切り換えテーブルに従ってＡＶ入出力切り換えスイッチ９をコントロールし、これによって、映像信号処理回路７及び音声信号処理回路８の入出力信号を、場合場合に応じて自動的に適切なものに切り換えするようになっている。なお、前記ＡＶ−ＤＵＢスイッチ１５は、外部入力録画中に音声、映像を記録する機能を選択するスイッチであり、また、図３におけるストップとは各操作の停止を指している。
　【００１１】
　【発明の効果】以上のように本発明によれば、入力と出力とを兼用するＡＶ入出力端子をもち外部機器との接続ケーブル本数が削減でき且つケーブルの差し換えの手間が無い構成において、ＡＶ入出力端子の入出力状態を使用形態に応じて自動的に適正なものに切り換え選択し得る、入出力制御のための手順が簡単で使い勝手の良好なビデオカメラ及びビデオカメラの制御方法が提供でき、この種ビデオカメラにあってその価値は大きい。
【図面の簡単な説明】
　【図１】本発明の実施例に係るＶＴＲ一体形ビデオカメラの要部ブロック図である。
　【図２】本発明の実施例に係るＶＴＲ一体形ビデオカメラの外観を示す説明図である。
　【図３】本発明の実施例によるマイコン内の入出力切り換えテーブルを示す説明図である。
　【図４】従来のＶＴＲ一体形ビデオカメラの外観を示す説明図である。
　【符号の説明】
　１　ＣＣＤセンサー（撮像素子）
　２　カメラ信号処理回路
　３　マイク
　４　マイク信号処理回路
　５　ＶＴＲ再生回路
　６　ＶＴＲ記録回路
　７　映像信号処理回路
　８　音声信号処理回路
　９　ＡＶ入出力切り換えスイッチ
　１０　ＡＶ入出力端子
　１１　マイコン
　１２　ＶＴＲ／カメラモード選択スイッチ
　１３　録画スイッチ
　１４　再生スイッチ
　１５　ＡＶ−ＤＵＢスイッチ